【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
複数種類の識別情報を順番に更新表示することが可能であって前記識別情報の更新表示の表示結果を導出表示する可変表示装置を備え、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを備え、
前記遊技制御手段は、
前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間を示す変動時間コマンドと前記識別情報の更新表示の表示結果を示す表示結果コマンドとを前記識別情報の更新表示を開始するときに前記表示制御手段に送信するとともに、
前記変動時間コマンドにより前記表示制御手段に通知した前記識別情報の変動時間を測定するための変動時間タイマを有し、前記変動時間コマンドの送信が完了してから前記変動時間タイマをスタートさせ、該変動時間タイマがタイムアップしたときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、
前記遊技制御手段から前記表示制御コマンドの送信に同期して送信される表示制御信号を受信したときに、割込処理を行なって前記表示制御コマンドを受信し、
ランダムカウンタから特定の表示態様予告用乱数を抽出する表示態様予告用乱数抽出手段と、前記識別情報の更新表示の表示結果が前記特定の表示態様になるときに前記識別情報の表示結果が表示される前に画像を前記可変表示装置に表示する事前表示態様と前記表示態様予告用乱数抽出手段による前記特定の表示態様予告用乱数の抽出値との関係を示した特定の表示態様時用のテーブルデータと、前記識別情報の更新表示の表示結果が前記特定の表示態様にならないとき前記可変表示装置の表示態様を事前表示態様とするか否かと前記表示態様予告用乱数抽出手段による前記特定の表示態様予告用乱数の抽出値との関係を示した非特定の表示態様時用のテーブルデータとを有し、受信した前記表示結果コマンドが前記識別情報の更新表示の表示結果が前記特定の表示態様になることを示すものであるときに、前記識別情報の表示結果が表示される前に前記可変表示装置の表示態様を前記事前表示態様とするか否かと、前記可変表示装置の表示態様を前記事前表示態様とするときに複数種類の前記事前表示態様のうちどの事前表示態様を用いるかとを独自に決定する一方、前記表示結果コマンドが前記識別情報の更新表示の表示結果が前記特定の表示態様にならないことを示すものであるときに、前記識別情報の表示結果が表示される前に前記可変表示装置の表示態様を前記事前表示態様とするか否かを独自に決定する表示実行決定手段と、
前記識別情報の更新表示の表示結果を導出表示する以前の段階で、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する差替え先決定手段とを備え、
前記表示実行決定手段は、前記表示結果コマンドが前記識別情報の更新表示の表示結果が前記特定の表示態様になることを示すものであるときに、前記特定の表示態様時用のテーブルデータを用いて前記特定の表示態様予告用乱数から前記可変表示装置の表示態様を前記事前表示態様とするか否かと前記可変表示装置の表示態様を前記事前表示態様とするときに用いる前記事前表示態様の種類とを決定する一方、前記表示結果コマンドが前記識別情報の更新表示の表示結果が前記特定の表示態様にならないことを示すものであるときに、前記非特定の表示態様時用のテーブルデータを用いて前記特定の表示態様予告用乱数から前記可変表示装置の表示態様を前記事前表示態様とするか否かを決定し、
前記表示制御手段は、
前記表示実行決定手段の決定に従って前記可変表示装置の表示態様を前記事前表示態様とするときに、用いられる前記事前表示態様の種類が前記複数種類の事前表示態様のうち第１の事前表示態様であるときには、前記可変表示装置に複数種類の画像のうち第１の画像を表示させ、用いられる前記事前表示態様の種類が前記複数種類の事前表示態様のうち第２の事前表示態様であるときには、前記可変表示装置に前記第１の画像を表示させたのち第２の画像を表示させる画像表示制御と、
受信した前記変動時間コマンドにより示された変動時間に応じて、前記識別情報の更新表示の変動速度を構成として含む前記識別情報の更新表示の変動パターンを決定するとともに、該決定された変動パターンを用いて前記識別情報を順番に更新表示する前記可変表示装置の表示制御とを行ない、
前記確定時期コマンドを受信したときに、前記表示結果コマンドにより示される前記識別情報の更新表示の表示結果を前記可変表示装置に表示させることを特徴とする、遊技機。
【請求項２】
複数種類の識別情報を順番に更新表示することが可能であって前記識別情報の更新表示の表示結果を導出表示する可変表示装置を備え、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを備え、
前記遊技制御手段は、
前記識別情報の変動時間と前記識別情報の更新表示の表示結果を前記特定の表示態様とするか否かとをそれぞれランダムカウンタの抽出値に基づいて決定し、前記表示制御手段が前記可変表示装置の表示制御を行なうための表示制御コマンドとして、前記識別情報の変動時間を示す変動時間コマンドと前記識別情報の更新表示の表示結果が前記特定の表示態様となるか否かを示す当りはずれコマンドとを前記識別情報の更新表示を開始するときに前記表示制御手段に送信するとともに、
前記変動時間コマンドにより前記表示制御手段に通知した前記識別情報の変動時間を測定するための変動時間タイマを有し、前記変動時間コマンドの送信が完了してから前記変動時間タイマをスタートさせ、該変動時間タイマがタイムアップしたときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、
前記遊技制御手段から前記表示制御コマンドの送信に同期して送信される表示制御信号を受信したときに、割込処理を行なって前記表示制御コマンドを受信し、
ランダムカウンタから識別情報決定用乱数を抽出する識別情報決定用乱数抽出手段と、該識別情報決定用乱数抽出手段による識別情報決定用乱数の抽出値と受信した前記変動時間コマンドおよび前記当りはずれコマンドの示す内容とに基づいて前記識別情報の更新表示の表示結果を独自に決定する識別情報決定手段と、
ランダムカウンタから特定の表示態様予告用乱数を抽出する表示態様予告用乱数抽出手段と、前記識別情報の更新表示の表示結果が前記特定の表示態様になるときに前記識別情報の表示結果が表示される前に画像を前記可変表示装置に表示する事前表示態様と前記表示態様予告用乱数抽出手段による前記特定の表示態様予告用乱数の抽出値との関係を示した特定の表示態様時用のテーブルデータと、前記識別情報の更新表示の表示結果が前記特定の表示態様にならないとき前記可変表示装置の表示態様を事前表示態様とするか否かと前記表示態様予告用乱数抽出手段による前記特定の表示態様予告用乱数の抽出値との関係を示した非特定の表示態様時用のテーブルデータとを有し、受信した前記当りはずれコマンドが前記識別情報の更新表示の表示結果が前記特定の表示態様になることを示すものであるときに、前記識別情報の表示結果が表示される前に前記可変表示装置の表示態様を前記事前表示態様とするか否かと、前記可変表示装置の表示態様を前記事前表示態様とするときに複数種類の前記事前表示態様のうちどの事前表示態様を用いるかとを独自に決定する一方、前記当りはずれコマンドが前記識別情報の更新表示の表示結果が前記特定の表示態様にならないことを示すものであるときに、前記識別情報の表示結果が表示される前に前記可変表示装置の表示態様を前記事前表示態様とするか否かを独自に決定する表示実行決定手段と、
前記識別情報の更新表示の表示結果を導出表示する以前の段階で、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記識別情報決定手段で決定された前記識別情報の更新表示の表示結果に対応して前記差替え先の識別情報を決定する差替え先決定手段とを備え、
前記表示実行決定手段は、前記当りはずれコマンドが前記識別情報の更新表示の表示結果が前記特定の表示態様になることを示すものであるときに、前記特定の表示態様時用のテーブルデータを用いて前記特定の表示態様予告用乱数から前記可変表示装置の表示態様を前記事前表示態様とするか否かと前記可変表示装置の表示態様を前記事前表示態様とするときに用いる前記事前表示態様の種類とを決定する一方、前記当りはずれコマンドが前記識別情報の更新表示の表示結果が前記特定の表示態様にならないことを示すものであるときに、前記非特定の表示態様時用のテーブルデータを用いて前記特定の表示態様予告用乱数から前記可変表示装置の表示態様を前記事前表示態様とするか否かを決定し、
前記表示制御手段は、
前記表示実行決定手段の決定に従って前記可変表示装置の表示態様を前記事前表示態様とするときに、用いられる前記事前表示態様の種類が前記複数種類の事前表示態様のうち第１の事前表示態様であるときには、前記可変表示装置に複数種類の画像のうち第１の画像を表示させ、用いられる前記事前表示態様の種類が前記複数種類の事前表示態様のうち第２の事前表示態様であるときには、前記可変表示装置に前記第１の画像を表示させたのち第２の画像を表示させる画像表示制御と、
受信した前記変動時間コマンドにより示された変動時間に応じて、前記識別情報の更新表示の変動速度を構成として含む前記識別情報の更新表示の変動パターンを決定するとともに、該決定された変動パターンを用いて前記識別情報を順番に更新表示する前記可変表示装置の表示制御とを行ない、
前記確定時期コマンドを受信したときに、前記識別情報決定手段で決定された前記識別情報の更新表示の表示結果を前記可変表示装置に表示させることを特徴とする、遊技機。
【請求項３】
前記表示制御手段は、可変表示装置に表示される前記識別情報を除く部分となる背景画像によって前記可変表示装置の表示態様を前記事前表示態様とすることを特徴とする、請求項１または２に記載の遊技機。
【請求項４】
前記遊技制御手段は、前記遊技制御手段から前記表示制御手段への前記表示制御コマンドの出力を許容し、前記表示制御手段から前記遊技制御手段への信号の入力を阻止する不可逆性出力手段を備えることを特徴とする、請求項１から３のいずれかに記載の遊技機。
【請求項５】
前記表示制御手段は、前記遊技制御手段から前記表示制御手段への前記表示制御コマンドの入力を許容し、前記表示制御手段から前記遊技制御手段への信号の出力を阻止する不可逆性入力手段を備えることを特徴とする、請求項１から４のいずれかに記載の遊技機。
【手続補正２】
【補正対象書類名】明細書
【補正対象項目名】０００６
【補正方法】変更
【補正の内容】
【０００６】
請求項１に記載の本発明は、複数種類の識別情報を順番に更新表示することが可能であって前記識別情報の更新表示の表示結果を導出表示する可変表示装置を備え、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを備え、
前記遊技制御手段は、
前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間を示す変動時間コマンドと前記識別情報の更新表示の表示結果を示す表示結果コマンドとを前記識別情報の更新表示を開始するときに前記表示制御手段に送信するとともに、
前記変動時間コマンドにより前記表示制御手段に通知した前記識別情報の変動時間を測定するための変動時間タイマを有し、前記変動時間コマンドの送信が完了してから前記変動時間タイマをスタートさせ、該変動時間タイマがタイムアップしたときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、
前記遊技制御手段から前記表示制御コマンドの送信に同期して送信される表示制御信号を受信したときに、割込処理を行なって前記表示制御コマンドを受信し、
ランダムカウンタから特定の表示態様予告用乱数を抽出する表示態様予告用乱数抽出手段と、前記識別情報の更新表示の表示結果が前記特定の表示態様になるときに前記識別情報の表示結果が表示される前に画像を前記可変表示装置に表示する事前表示態様と前記表示態様予告用乱数抽出手段による前記特定の表示態様予告用乱数の抽出値との関係を示した特定の表示態様時用のテーブルデータと、前記識別情報の更新表示の表示結果が前記特定の表示態様にならないとき前記可変表示装置の表示態様を事前表示態様とするか否かと前記表示態様予告用乱数抽出手段による前記特定の表示態様予告用乱数の抽出値との関係を示した非特定の表示態様時用のテーブルデータとを有し、受信した前記表示結果コマンドが前記識別情報の更新表示の表示結果が前記特定の表示態様になることを示すものであるときに、前記識別情報の表示結果が表示される前に前記可変表示装置の表示態様を前記事前表示態様とするか否かと、前記可変表示装置の表示態様を前記事前表示態様とするときに複数種類の前記事前表示態様のうちどの事前表示態様を用いるかとを独自に決定する一方、前記表示結果コマンドが前記識別情報の更新表示の表示結果が前記特定の表示態様にならないことを示すものであるときに、前記識別情報の表示結果が表示される前に前記可変表示装置の表示態様を前記事前表示態様とするか否かを独自に決定する表示実行決定手段と、
前記識別情報の更新表示の表示結果を導出表示する以前の段階で、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する差替え先決定手段とを備え、
前記表示実行決定手段は、前記表示結果コマンドが前記識別情報の更新表示の表示結果が前記特定の表示態様になることを示すものであるときに、前記特定の表示態様時用のテーブルデータを用いて前記特定の表示態様予告用乱数から前記可変表示装置の表示態様を前記事前表示態様とするか否かと前記可変表示装置の表示態様を前記事前表示態様とするときに用いる前記事前表示態様の種類とを決定する一方、前記表示結果コマンドが前記識別情報の更新表示の表示結果が前記特定の表示態様にならないことを示すものであるときに、前記非特定の表示態様時用のテーブルデータを用いて前記特定の表示態様予告用乱数から前記可変表示装置の表示態様を前記事前表示態様とするか否かを決定し、
前記表示制御手段は、
前記表示実行決定手段の決定に従って前記可変表示装置の表示態様を前記事前表示態様とするときに、用いられる前記事前表示態様の種類が前記複数種類の事前表示態様のうち第１の事前表示態様であるときには、前記可変表示装置に複数種類の画像のうち第１の画像を表示させ、用いられる前記事前表示態様の種類が前記複数種類の事前表示態様のうち第２の事前表示態様であるときには、前記可変表示装置に前記第１の画像を表示させたのち第２の画像を表示させる画像表示制御と、
受信した前記変動時間コマンドにより示された変動時間に応じて、前記識別情報の更新表示の変動速度を構成として含む前記識別情報の更新表示の変動パターンを決定するとともに、該決定された変動パターンを用いて前記識別情報を順番に更新表示する前記可変表示装置の表示制御とを行ない、
前記確定時期コマンドを受信したときに、前記表示結果コマンドにより示される前記識別情報の更新表示の表示結果を前記可変表示装置に表示させることを特徴とする。
【手続補正３】
【補正対象書類名】明細書
【補正対象項目名】０００７
【補正方法】変更
【補正の内容】
【０００７】
請求項２に記載の本発明は、複数種類の識別情報を順番に更新表示することが可能であって前記識別情報の更新表示の表示結果を導出表示する可変表示装置を備え、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを備え、
前記遊技制御手段は、
前記識別情報の変動時間と前記識別情報の更新表示の表示結果を前記特定の表示態様とするか否かとをそれぞれランダムカウンタの抽出値に基づいて決定し、前記表示制御手段が前記可変表示装置の表示制御を行なうための表示制御コマンドとして、前記識別情報の変動時間を示す変動時間コマンドと前記識別情報の更新表示の表示結果が前記特定の表示態様となるか否かを示す当りはずれコマンドとを前記識別情報の更新表示を開始するときに前記表示制御手段に送信するとともに、
前記変動時間コマンドにより前記表示制御手段に通知した前記識別情報の変動時間を測定するための変動時間タイマを有し、前記変動時間コマンドの送信が完了してから前記変動時間タイマをスタートさせ、該変動時間タイマがタイムアップしたときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、
前記遊技制御手段から前記表示制御コマンドの送信に同期して送信される表示制御信号を受信したときに、割込処理を行なって前記表示制御コマンドを受信し、
ランダムカウンタから識別情報決定用乱数を抽出する識別情報決定用乱数抽出手段と、該識別情報決定用乱数抽出手段による識別情報決定用乱数の抽出値と受信した前記変動時間コマンドおよび前記当りはずれコマンドの示す内容とに基づいて前記識別情報の更新表示の表示結果を独自に決定する識別情報決定手段と、
ランダムカウンタから特定の表示態様予告用乱数を抽出する表示態様予告用乱数抽出手段と、前記識別情報の更新表示の表示結果が前記特定の表示態様になるときに前記識別情報の表示結果が表示される前に画像を前記可変表示装置に表示する事前表示態様と前記表示態様予告用乱数抽出手段による前記特定の表示態様予告用乱数の抽出値との関係を示した特定の表示態様時用のテーブルデータと、前記識別情報の更新表示の表示結果が前記特定の表示態様にならないとき前記可変表示装置の表示態様を事前表示態様とするか否かと前記表示態様予告用乱数抽出手段による前記特定の表示態様予告用乱数の抽出値との関係を示した非特定の表示態様時用のテーブルデータとを有し、受信した前記当りはずれコマンドが前記識別情報の更新表示の表示結果が前記特定の表示態様になることを示すものであるときに、前記識別情報の表示結果が表示される前に前記可変表示装置の表示態様を前記事前表示態様とするか否かと、前記可変表示装置の表示態様を前記事前表示態様とするときに複数種類の前記事前表示態様のうちどの事前表示態様を用いるかとを独自に決定する一方、前記当りはずれコマンドが前記識別情報の更新表示の表示結果が前記特定の表示態様にならないことを示すものであるときに、前記識別情報の表示結果が表示される前に前記可変表示装置の表示態様を前記事前表示態様とするか否かを独自に決定する表示実行決定手段と、
前記識別情報の更新表示の表示結果を導出表示する以前の段階で、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記識別情報決定手段で決定された前記識別情報の更新表示の表示結果に対応して前記差替え先の識別情報を決定する差替え先決定手段とを備え、
前記表示実行決定手段は、前記当りはずれコマンドが前記識別情報の更新表示の表示結果が前記特定の表示態様になることを示すものであるときに、前記特定の表示態様時用のテーブルデータを用いて前記特定の表示態様予告用乱数から前記可変表示装置の表示態様を前記事前表示態様とするか否かと前記可変表示装置の表示態様を前記事前表示態様とするときに用いる前記事前表示態様の種類とを決定する一方、前記当りはずれコマンドが前記識別情報の更新表示の表示結果が前記特定の表示態様にならないことを示すものであるときに、前記非特定の表示態様時用のテーブルデータを用いて前記特定の表示態様予告用乱数から前記可変表示装置の表示態様を前記事前表示態様とするか否かを決定し、
前記表示制御手段は、
前記表示実行決定手段の決定に従って前記可変表示装置の表示態様を前記事前表示態様とするときに、用いられる前記事前表示態様の種類が前記複数種類の事前表示態様のうち第１の事前表示態様であるときには、前記可変表示装置に複数種類の画像のうち第１の画像を表示させ、用いられる前記事前表示態様の種類が前記複数種類の事前表示態様のうち第２の事前表示態様であるときには、前記可変表示装置に前記第１の画像を表示させたのち第２の画像を表示させる画像表示制御と、
受信した前記変動時間コマンドにより示された変動時間に応じて、前記識別情報の更新表示の変動速度を構成として含む前記識別情報の更新表示の変動パターンを決定するとともに、該決定された変動パターンを用いて前記識別情報を順番に更新表示する前記可変表示装置の表示制御とを行ない、
前記確定時期コマンドを受信したときに、前記識別情報決定手段で決定された前記識別情報の更新表示の表示結果を前記可変表示装置に表示させることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３に記載の本発明は、請求項１または２に記載の発明の構成に加えて、前記表示制御手段は、可変表示装置に表示される前記識別情報を除く部分となる背景画像によって前記可変表示装置の表示態様を前記事前表示態様とすることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項４に記載の本発明は、請求項１から３のいずれかに記載の発明の構成に加えて、前記遊技制御手段は、前記遊技制御手段から前記表示制御手段への前記表示制御コマンドの出力を許容し、前記表示制御手段から前記遊技制御手段への信号の入力を阻止する不可逆性出力手段を備えることを特徴とする。
【手続補正１２】
【補正対象書類名】明細書
【補正対象項目名】００１６
【補正方法】変更
【補正の内容】
【００１６】
請求項５に記載の本発明は、請求項１から４のいずれかに記載の発明の構成に加えて、前記表示制御手段は、前記遊技制御手段から前記表示制御手段への前記表示制御コマンドの入力を許容し、前記表示制御手段から前記遊技制御手段への信号の出力を阻止する不可逆性入力手段を備えることを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項１に関しては、次のような効果を得ることができる。表示制御手段においては、表示実行決定手段により、遊技制御手段から受信した表示結果コマンドが識別情報の更新表示の表示結果が特定の表示態様になることを示すものであるときに、識別情報の表示結果が表示される前に可変表示装置の表示態様を事前表示態様とするか否かと、可変表示装置の表示態様を事前表示態様とするときに複数種類の事前表示態様のうちどの事前表示態様を用いるかとが独自に決定される一方、表示結果コマンドが識別情報の更新表示の表示結果が特定の表示態様にならないことを示すものであるときに、識別情報の表示結果が表示される前に可変表示装置の表示態様を事前表示態様とするか否かが独自に決定される。このため、遊技制御手段側では、表示制御手段で行なう予告表示に関する制御を行なわなくてよいので、遊技制御手段における表示制御に関する処理負担を軽減することができる。さらに、表示制御手段においては、差替え先決定手段により、差替え表示における差替え先の識別情報が決定される。このため、遊技制御手段側では、表示制御手段で行なう差替え表示における差替え先の識別情報の決定を行なわなくてよいので、遊技制御手段における表示制御に関する処理負担をより一層軽減することができる。そして、遊技制御手段における表示制御に関する処理負担を軽減できる結果として、遊技制御手段が本来の遊技制御にかけられる時間を増やすことが可能となる遊技機を提供することができる。また、表示制御手段により、確定時期コマンドを受信したときに、表示結果コマンドにより示される識別情報の更新表示の表示結果が可変表示装置に表示される。したがって、可変表示装置における識別情報の更新表示の表示結果を、遊技制御手段が管理するタイミングで確実に確定させることができる。
【手続補正１５】
【補正対象書類名】明細書
【補正対象項目名】００１９
【補正方法】変更
【補正の内容】
【００１９】
請求項２に関しては、次のような効果を得ることができる。表示制御手段においては、識別情報決定手段により、抽出手段による識別情報決定用乱数の抽出値と受信した変動時間コマンドおよび当りはずれコマンドの示す内容とに基づいて識別情報の更新表示の表示結果が独自に決定される。また、表示実行決定手段により、遊技制御手段から受信した当りはずれコマンドが識別情報の更新表示の表示結果が特定の表示態様になることを示すものであるときに、識別情報の表示結果が表示される前に可変表示装置の表示態様を事前表示態様とするか否かと、可変表示装置の表示態様を事前表示態様とするときに複数種類の事前表示態様のうちどの事前表示態様を用いるかとが独自に決定される一方、当りはずれコマンドが識別情報の更新表示の表示結果が特定の表示態様にならないことを示すものであるときに、識別情報の表示結果が表示される前に可変表示装置の表示態様を事前表示態様とするか否かが独自に決定される。このため、遊技制御手段側では、表示制御手段で行なう予告表示に関する制御を行なわなくてよいので、遊技制御手段における表示制御に関する処理負担を軽減することができる。さらに、表示制御手段においては、差替え先決定手段により、差替え表示における差替え先の識別情報が決定される。このため、遊技制御手段側では、表示制御手段で行なう差替え表示における差替え先の識別情報の決定を行なわなくてよいので、遊技制御手段における表示制御に関する処理負担をより一層軽減することができる。そして、遊技制御手段における表示制御に関する処理負担を軽減できる結果として、可変表示装置の表示結果が予め定められた特定の表示態様となったことを条件に遊技者にとって有利な状態に制御可能となる遊技機として、遊技制御手段が本来の遊技制御にかけられる時間を増やすことが可能となる遊技機を提供することができる。また、表示制御手段により、確定時期コマンドを受信したときに、識別情報決定手段で決定された識別情報の更新表示の表示結果が可変表示装置に表示される。したがって、可変表示装置における識別情報の更新表示の表示結果を、遊技制御手段が管理するタイミングで確実に確定させることができる。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
請求項３に関しては、請求項１または２に関する効果に加えて、次のような効果を得ることができる。表示制御手段により、可変表示装置に表示される識別情報を除く部分となる背景画像によって可変表示装置の表示態様が事前表示態様とされる。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
請求項４に関しては、請求項１から３のいずれかに関する効果に加えて、次のような効果を得ることができる。遊技制御手段は、遊技制御手段から表示制御手段への表示制御コマンドの出力を許容し、表示制御手段から遊技制御手段への信号の入力を阻止する不可逆性出力手段を備えるため、不可逆性出力手段の働きにより、遊技制御手段と表示制御手段との通信部分を利用し、遊技制御手段に対して不正な信号が入力されて不正な制御動作が行なわれることを遊技制御手段自体で防ぐことができる。
【手続補正２４】
【補正対象書類名】明細書
【補正対象項目名】００２８
【補正方法】変更
【補正の内容】
【００２８】
請求項５に関しては、請求項１から４のいずれかに関する効果に加えて、次のような効果を得ることができる。表示制御手段が遊技制御手段から表示制御手段への表示制御コマンドの入力を許容し、表示制御手段から遊技制御手段への信号の出力を阻止する不可逆性入力手段を備えるため、不可逆性入力手段の働きにより、遊技制御手段と表示制御手段との通信部分を利用し、遊技制御手段に対して不正な信号が入力されて不正な制御動作が行なわれることを表示制御手段側において防ぐことができる。
【手続補正２５】
【補正対象書類名】明細書
【補正対象項目名】００２９
【補正方法】削除
【補正の内容】